(57)【要約】【課題】靴、特に運動靴用の改善されたソールを提供すること。【解決手段】本発明の一態様では、ランダムに配置された発泡材料の粒子を含むミッドソールを備える靴、特に運動靴用のソールが提供される。ソールは、少なくとも１方向に発泡材料より高い変形硬度を有する要素をさらに含む。ミッドソールの材料は、要素を少なくとも部分的に取り囲む。【選択図】図２
2018023871.tif 000002
【特許請求の範囲】
【請求項１】
靴（４００、５００、６００、７００、８００）、特に運動靴用のソール（２００、１
２００、１３００）であって、
ａ．ランダムに配置された発泡材料の粒子（９１０、１０１０、１２１５）を含むミッ
ドソール（２１０、３１０、４１０、５１０、６１０、７１０、８１０、９００、１００
０、１１００、１２１０）と、
ｂ．少なくとも１方向に前記発泡材料より高い変形硬度を含む要素（２２０、３２０、
７２０、８４０、９２０、９３０、１０２０、１０３０、１１２０、１１３０、１２２０
、１３２０、１３２２、１３２４、１３２６、１３４０）とを備え、
ｃ．前記ミッドソール（２１０、３１０、４１０、５１０、６１０、７１０、８１０、
９００、１０００、１１００、１２１０）の前記材料が、前記要素（２２０、３２０、７
２０、８４０、９２０、９３０、１０２０、１０３０、１１２０、１１３０、１２２０、
１３２０、１３２２、１３２４、１３２６、１３４０）を少なくとも部分的に取り囲む、
ソール（２００、１２００、１３００）。
【請求項２】
前記要素（２２０、３２０、７２０、８４０、９２０、９３０、１０２０、１０３０、
１１２０、１１３０、１２２０、１３２０、１３２２、１３２４、１３２６、１３４０）
が、前記ミッドソール（２１０、３１０、４１０、５１０、６１０、７１０、８１０、９
００、１０００、１１００、１２１０）の前記材料の内側へ少なくとも部分的に延びる、
請求項１に記載のソール（２００、１２００、１３００）。
【請求項３】
前記要素（２２０、３２０、７２０、８４０、９２０、９３０、１０２０、１０３０、
１１２０、１１３０、１２２０、１３２０、１３２２、１３２４、１３２６、１３４０）
が、前記ミッドソール（２１０、３１０、４１０、５１０、６１０、７１０、８１０、９
００、１０００、１１００、１２１０）の前記発泡材料に接合されない、請求項１または
２に記載のソール（２００、１２００、１３００）。
【請求項４】
前記要素（２２０、３２０）が、前記ミッドソール（２１０、３１０）の前記材料全体
にわたって骨組状に少なくとも部分的に延びる、請求項１から３のいずれか一項に記載の
ソール（２００）。
【請求項５】
前記要素（２２０、３２０）が中空区間を含む、請求項１から４のいずれか一項に記載
のソール（２００）。
【請求項６】
前記要素（２２０、３２０、７２０）が少なくとも部分的に格子状である、請求項１か
ら５のいずれか一項に記載のソール（２００）。
【請求項７】
前記要素（２２０、３２０、９２０、９３０、１０２０、１０３０、１１２０、１１３
０）が、電子構成要素を受け取るための凹部を備える、請求項１から６のいずれか一項に
記載のソール（２００）。
【請求項８】
前記ソールが、前記ミッドソール（２１０、４１０、５１０）の前記材料に配置された
かかと取巻体（２３０、５３０）をさらに備え、前記かかと取巻体（２３０、５３０）が
、それぞれかかとの内側および外側を独立して囲むように設計された内側指状部（２３８
、４３８、５３８）および外側指状部（２３５、４３５、５３５）を備える、請求項１か
ら７のいずれか一項に記載のソール（２００）。
【請求項９】
前記要素（８４０）が、前記発泡材料の変形を選択的に制限するように、側面で前記発
泡材料の一部を少なくとも部分的に囲む、請求項１から８のいずれか一項に記載のソール
。
【請求項１０】
前記要素（９２０、９３０、１０２０、１０３０、１１２０、１１３０）が、互いに対
して摺動できる少なくとも第１の板状要素（９２０、１０２０、１１２０）および第２の
板状要素（９３０、１０３０、１１３０）を含む、請求項１から９のいずれか一項に記載
のソール。
【請求項１１】
前記第１の板状要素（１０２０）と前記第２の板状要素（１０３０）がそれぞれ、湾曲
した摺動面を有する、請求項１０に記載のソール。
【請求項１２】
前記ミッドソール（１１００）の前記材料（１１４０、１１４５）が、前記第２の板状
要素（１１３０）に対する前記第１の板状要素（１１２０）の摺動運動に反対に作用する
復元力を提供する、請求項１０または１１に記載のソール。
【請求項１３】
前記要素が、前記ミッドソールの前記材料（１２１０）を通る通路（１２３０、１３３
０）を画定する少なくとも１つの環状体（１２２０、１３２０、１３２２、１３２４、１
３２６）を含む、請求項１から１２のいずれか一項に記載のソール（１２００、１３００
）。
【請求項１４】
前記要素が、ハニカムパターンで配置された複数の環状体（１３２２、１３２４、１３
２６）を備える領域ユニット（１３４０）を備える、請求項１３に記載のソール（１３０
０）。
【請求項１５】
請求項１から１４のいずれか一項に記載のソールを含む靴（４００、５００、６００、
７００、８００）、特に運動靴。
【発明の詳細な説明】
【技術分野】
【０００１】
本発明は、靴、特に運動靴用のソールに関する。
【背景技術】
【０００２】
ソールを用いることで靴には多くの特性が提供され、これらの特性は、靴の特有の種類
に応じて効果が大きく変動することがある。主として、靴のソールは保護機能を有する。
ソールは、シャフトより硬度が大きいことによって、たとえば着用者が踏み得る尖った物
体によって引き起こされる負傷からそれぞれの着用者の足を保護する。さらに、靴のソー
ルは通常、過度の摩耗から靴を保護する。さらに、靴のソールは、靴と対応する地面との
接触を改善し、したがってより速く動くことを容易にすることができる。靴のソールのさ
らなる機能は、特定の安定性を提供することからなり得る。さらに、靴のソールは、たと
えば靴と地面との接触から生じる力を吸収するように、クッション効果を有することがで
きる。最後に、靴のソールは、汚れもしくは水しぶきから足を保護することができ、また
は複数の他の機能性を提供することができる。
【０００３】
上記すべての機能性を満たすために、従来技術では靴のソールの製造に使用できる異な
る材料が知られている。例として、エチレン酢酸ビニル（ＥＶＡ）、熱可塑性ポリウレタ
ン（ＴＰＵ）、ゴム、ポリプロピレン（ＰＰ）、またはポリスチレン（ＰＳ）から作られ
た靴のソールについてここで述べる。これらの材料はそれぞれ、対応する靴の種類の特有
の要件に応じて、特有の靴の種類のソールにとってある程度適した異なる特性の特別な組
合せを提供する。たとえば、ＴＰＵは、耐摩耗性が非常に高く、破れにくい。さらに、Ｅ
ＶＡは、安定性が高く、クッション特性が比較的良好であることを特徴とする。さらに、
靴のソールの製造に発泡材料、特に発泡熱可塑性ウレタン（ｅＴＰＵ）を使用することが
考慮された。発泡熱可塑性ウレタンは、軽量であり、弾性およびクッション特性が特に良
好であることを特徴とする。さらに、ＷＯ  ２００５／０６６２５０によれば、発泡熱可
塑性ウレタンのソールは、追加の接着剤を必要とすることなく、靴のシャフトに取り付け
ることができる。ｅＴＰＵに基づく靴のソールならびにその製造方法の別の例は、ＤＥ  
１０  ２００５  ０５０  ４１１  Ａ１に記載されている。
【０００４】
しかし、Ｗ  Ｏ２００５／０６６２５０に開示されている実施形態の１つの欠点は、Ｗ
Ｏ  ２００５／０６６２５０では、ソールの特性が複数の区域で連続して発泡ＴＰＵのソ
ールの作用を受け、より細密な影響をソール特性に与えることができないことにある。
【０００５】
ソールの特性にさらなる影響を選択的に与えるには、たとえば補強要素などの追加の機
能要素を使用することが、従来技術では知られている。そのような補強要素は、たとえば
、たとえば中足の内側領域などの選択された領域でソールの安定性を増大させるために、
ソールの底面上に接着させることができる。そのような補強は、たとえばでこぼこした地
面をジョギングするとき、または足の過回内が生じた場合に、運動器官全体（たとえば、
足、足首、膝、腱、靱帯など）を楽にする働きをすることができる。
【０００６】
たとえば、ＥＰ１  １９７  １５９  Ｂ１は、開放式、半開放式、または閉鎖式にかか
わらず、これらの製品に対する注入による様々な構築方法の中でも、補強ミッドソールの
有無にかかわらずくさびを組み込み、ソールまたは中間アウトソールに固定された縫合イ
ンソールにこのくさびを取り付ける、靴の構築方法およびこの方法から得られる靴を開示
している。
【０００７】
しかし、従来技術で知られている機能要素およびソール構成の１つの欠点は、ソールの
特性および機能性に選択的に影響を与える靴のソールおよび追加の要素を別個に製造し、
後に互いに接合、たとえば接着しなければならないことである。これにより、追加の機能
要素によってソールの特性に影響を与える可能性が制限されることがある。これは特に、
機能要素が、機能要素に接触しているソールの領域から独立して動くことができないこと
を意味する。たとえば、追加の要素は、第１の方向にソールの特性の改善をもたらし、た
とえば長手方向に補強をもたらした場合でも、同時に第２の方向、たとえば第１の方向に
垂直の方向に、ソールの特性の望ましくない劣化を引き起こすという結果を招くことがあ
る。これは特に、平坦に設計された要素に当てはまる。さらに、互いに接着できるような
材料しか使用することができない。これにより、材料の選択が制限され、したがってソー
ルおよび靴の設計の可能性が著しく制限される。ソールの底面に固定または接着される機
能要素のさらなる欠点は、これらの要素が地面との接触中の靴の挙動に悪影響を与える可
能性があることである。したがって、そのような要素は、たとえば、でこぼこした地面上
（たとえば、石または根の上）で足を滑らせることにつながり、したがって着用者の転倒
を招く可能性がある。
【先行技術文献】
【特許文献】
【０００８】
【特許文献１】ＷＯ  ２００５／０６６２５０
【特許文献２】ＤＥ  １０  ２００５  ０５０  ４１１  Ａ１
【特許文献３】ＥＰ  １  １９７  １５９  Ｂ１
【特許文献４】ＵＳ  ２００５／０１０８８９８  Ａ１
【特許文献５】ＥＰ  ０８７３０６１  Ｂ１
【特許文献６】ＵＳ  ２０１０／００６３７７８  Ａ１
【特許文献７】ＤＥ１０２４４４３３Ｂ４
【特許文献８】ＤＥ１０２４４４３５Ｂ４
【特許文献９】ＵＳ２００７／０２６６５９４Ａ１
【発明の概要】
【発明が解決しようとする課題】
【０００９】
したがって、従来技術に基づいて、本発明の目的は、靴、特に運動靴にとってより良好
なソールを提供することである。本発明のさらなる目的は、追加の要素を用いて靴のソー
ルの特性に影響を与える改善された可能性を提供することにある。
【課題を解決するための手段】
【００１０】
本発明の第１の態様によれば、これらの問題は、ランダムに配置された発泡材料の粒子
を含むミッドソールを備え、少なくとも１方向に発泡材料より高い変形硬度を有する要素
をさらに備え、ミッドソールの材料がその要素を少なくとも部分的に取り囲む、靴、特に
運動靴用のソールによって解決される。
【００１１】
好ましい実施形態では、この要素は、ミッドソールの材料の内側へ少なくとも部分的に
延びる。
【００１２】
さらに好ましい実施形態では、この要素は、ミッドソールの発泡材料に接合されない。
【００１３】
発泡材料の粒子と、少なくとも１方向に発泡材料より高い変形硬度を有する追加の要素
とを同時に使用することで、ミッドソールに対する設計の自由が大きくなる。したがって
、この要素は、たとえば、足が運ばれる運動とともに動く好ましい方向を有し、それと同
時に、可撓性がほとんどまたはまったくない阻止方向を有する。さらに、１つの部分領域
、たとえば前足区域内、特に親指の下、および／またはかかと区域内の領域だけが、たと
えば、発泡材料、たとえば発泡ＴＰＵの粒子を含むことができる。これにより、発泡ＴＰ
Ｕの良好な弾性およびクッション特性のため、足が地面に当たって押し戻されるときに特
に良好なクッションが得られ、また一歩踏み込む間のエネルギーの損失が少なくなる。同
時に、追加の要素は、ミッドソール内、たとえば中足領域内に完全もしくは部分的に埋め
込むことができ、またはミッドソールの他の領域内でミッドソールの材料の内側へ少なく
とも部分的に延びることができる。要素がミッドソール内に完全またはほぼ完全に埋め込
まれた場合、要素はソールの踏面に接触しないため、足が地面に当たるときの障害がなく
なる。さらに、ソールの異なる領域の特性は、互いに実質上独立して影響を受けることが
できる。しかし、要素が一部しかミッドソール内に埋め込まれていない場合、またはミッ
ドソールによって囲まれていない場合、要素はそれぞれソールの表面の特性にさらなる影
響を与えることができる。
【００１４】
さらに、一実施形態では、要素が発泡材料との接合を含む必要がないため、ミッドソー
ルの材料、特にミッドソールの発泡材料と接着できない材料を、追加の要素の製造に使用
することもできる。そのような材料は、接着可能な材料より安価であることが多い。要素
に対する材料を選択するための他の基準は、たとえば、重量を低減させる働きをする材料
、または耐摩耗性はないがソールの安定性を増大させる材料である。例として、ポリプロ
ピレンおよびポリエチレンを可能な材料としてここに挙げる。
【００１５】
しかし、さらなる実施形態では、要素は、ミッドソールの材料、特にミッドソールの発
泡材料との接合を含むこともできる。これにより、ソールの安定性をさらに増大させるこ
とができる。そのような接合は、たとえば、要素の材料とミッドソールの材料を溶解させ
て溶け込ませることによって実現することができる。好ましい実施形態では、粉末状の追
加の熱可塑性ウレタンが添加され、それによって、要素とミッドソールの材料、特に発泡
材料との間でよりよい接合を得ることができる。
【００１６】
さらなる利点は、ランダムに配置された発泡材料の粒子を使用することによって提供さ
れる。粒子は特に容易に取り扱うことができ、ランダムな配置によって製造中の位置合わ
せが一切必要ではなくなるため、そのようなソールの製造が著しく容易になる。
【００１７】
前述のように、要素は、ソールおよび靴の要件プロファイルに従って、１つまたは複数
の異なる材料、たとえばプラスチック、ソールの他の発泡材料以外の特性を有する発泡材
料、箔、２次元および３次元の布、木材、金属などから製造することができる。原則的に
、要素は、たとえば様々な隅および角度、異なる幅、長さ、および高さなどのような複数
の形状をさらに備えることができる。さらに、要素は、ミッドソール内、たとえばミッド
ソールの上部領域、中心領域、または下部領域内などで、異なる位置および異なる向きに
少なくとも部分的に埋め込むことができ、前足領域もしくはかかと区域まで、または両方
の領域まで延びることができ、あるいはミッドソール内に斜めに位置することなどができ
る。要素の好ましい実施形態について、以下でより詳細に説明する。
【００１８】
好ましい実施形態では、ミッドソールが少なくとも部分的に構成される発泡材料の粒子
は、発泡エチレン酢酸ビニル（ｅＥＶＡ）、発泡熱可塑性ウレタン（ｅＴＰＵ）、発泡ポ
リプロピレン（ｅＰＰ）、発泡ポリアミド（ｅＰＡ）、発泡ポリエーテルブロックアミド
（ｅＰＥＢＡ）、発泡ポリオキシメチレン（ｅＰＯＭ）、発泡ポリスチレン（ＰＳ）、発
泡ポリエチレン（ｅＰＥ）、発泡ポリオキシエチレン（ｅＰＯＥ）、発泡エチレンプロピ
レンジエンモノマー（ｅＥＰＤＭ）という材料の１つまたは複数を含む。ソールの要件プ
ロファイルに従って、物質特有の特性のため、これらの材料の１つまたは複数を製造に有
利に使用することができる。
【００１９】
さらに好ましい実施形態では、ミッドソールは、発泡材料が要素を少なくとも部分的に
取り囲むように設計される。好ましくは、要素は、ミッドソールの発泡材料を通って少な
くとも部分的に延びる。それによって、接合を必要とすることなく、要素と発泡材料との
間の少なくとも部分的な接続を実現することができる。これにより、構築上の自由が増大
し、したがってソール、特に発泡材料を有する領域の特性に精密に調整された影響を与え
る可能性が増大する。特に、上記で論じたように、接着可能でない材料を使用することも
できる。
【００２０】
さらなる任意選択の実施形態では、前述のように、ミッドソール、特にミッドソールの
発泡材料と要素との間に、追加の接合、たとえば接着接合、融着、または粉末状の熱可塑
性ウレタンを添加することによって実現される接合を与えることができる。
【００２１】
さらに好ましい実施形態では、ソールは、第１に要素を金型内へ挿入し、次にミッドソ
ールの発泡材料の粒子でこの金型を充填することによって製造することができる。それに
よって、たとえば、発泡材料を切り開き、要素の挿入後に再び閉じる必要なく、要素を発
泡材料内に配置することが可能である。そのような場合、所望される場合は、要素と発泡
材料との間に接合を生じさせるために、上記のように、粉末状の熱可塑性ウレタンを任意
選択で添加することができる。適した寸法の粒子およびそれらの粒子を金型内へ挿入する
適当な方法を使用することによって、粒子はさらに確実に、所期の位置にある要素の周り
を流れ、かつ／またはその要素を取り囲むことができ、その結果、発泡材料内、たとえば
要素の下および／または後ろの孔および／または傷がより少なくなる。これにより、その
ようなソールの製造処理が著しく簡略化される。
【００２２】
さらに好ましい実施形態では、ミッドソールの発泡材料の粒子は、金型内へ充填された
後、加熱および／または加圧および／または蒸気処理にかけられる。それによって、粒子
の表面を少なくとも部分的に溶解させることができ、その結果、粒子表面は冷却後にとも
に接合される。さらに、加熱および／または加圧および／または蒸気処理によって、粒子
はまた、化学反応による接合を形成することもできる。そのような接合は非常に頑丈であ
り、耐久性があり、さらなる接合物質、たとえば接着剤の使用を必要としない。これによ
り、ソールの製造をとりわけより容易に、安全に、高い費用効果で、かつ環境にやさしく
行うことができる。
【００２３】
一実施形態では、要素は、ミッドソールの材料全体にわたって、好ましくはミッドソー
ルの発泡材料全体にわたって、骨格（スケルトン、骨組）状に少なくとも部分的に延びる
。骨組状の構造により、重量の低減とともに、ソールの特性に選択的な影響を与えること
が可能になる。
【００２４】
さらなる実施形態では、要素は、複数の棒状の区間を備える。またこれにより、重量の
低減とともに、ソールの特性に選択的な影響を与えることが可能となり、直線的な棒状の
要素またはそのような部分要素を備える要素を特に容易に製造できるという追加の利点が
得られる。
【００２５】
さらなる実施形態では、要素はまた、非対称とすることができ、螺旋状とすることがで
き、モジュラ要素として設計することができ、かつ／または異なる材料からなることがで
きる。要素は、たとえば、１つの材料の中核または基本要素と、１つまたはさらに異なる
材料の隣接部分とを備えることができ、射出成型を介して一体部分として製造される。さ
らなる実施形態では、要素の部分的なモジュールを基本要素に固定し、または基本要素内
へ挿入することができる。要素は、最適の固着のために、異なる厚さもしくは曲率、また
は十字形もしくは星形の直径を有することができ、ミッドソールの材料内、特に発泡材料
内に最大表面を有する。さらに、要素の異なる領域またはアームまたは部分は、異なる可
撓性を有することができ、したがって、靴の要件に従って調整することができる。
【００２６】
さらなる実施形態では、要素は、少なくとも複数の区間内に中空区間を含む。これによ
り、重量のさらなる低減を可能にし、要素の安定性、特に骨組状および／もしくは棒状の
要素、またはその一部分の安定性をさらに増大させる。
【００２７】
一実施形態では、要素は、少なくとも部分的に格子状である。格子状要素は、格子の寸
法に従って、比較的大きい平坦な領域内でソールの特性に影響を与えることを可能にし、
それと同時に、たとえば平坦区域状の要素に比較して軽量化される。これは特に、要素が
上記のように、少なくとも部分的に中空区間を含む場合に当てはまる。さらに、格子状要
素を用いると、上記のように、発泡材料の粒子がより容易に要素の周りを流れ、または要
素を取り囲むことができるため、製造処理が簡略化される。これにより、発泡材料内の傷
の形成が低減される。同じことが、骨格および棒状の要素にも当てはまる。
【００２８】
格子状要素は、１つまたは複数の他の領域より格子構造が細かい網状または広い網状で
ある１つまたは複数の領域を含むことができる。
【００２９】
さらなる実施形態では、格子状要素はまた、かかと区域内（または他の区域内）で、ソ
ール内の開いた領域に橋をかける働きをし、それによってソールにトランポリン構造を与
えることができる。この目的で使用される格子要素、および本明細書に記載する本発明の
態様と有利に組み合わせることができる靴のソールに対するさらなる格子状要素の実施形
態の例は、たとえば、ＵＳ  ２００５／０１０８８９８  Ａ１およびＥＰ  ０  ８７３  
０６１  Ｂ１に記載されている。
【００３０】
本発明の別の態様によれば、要素は、電子構成要素を受け取るための凹部を備える。そ
のような構成要素は、たとえば、ＧＰＳ送信器／受信器とすることができ、位置、現在の
ランニング速度、移動した距離、目的地までの距離、または位置もしくは速度に関係する
任意の種類の情報を判定する働きをすることができる。さらに、要素は、たとえば、無線
受信器および記憶要素を備えることができ、その結果、たとえば、心拍数モニタによって
送信される現在の心臓周波数を記憶することができる。構成要素はまた、複数の機能性、
たとえばＧＰＳ送信器／受信器、無線受信器、およびメモリを提供することができ、その
結果、特有の経路に沿った位置データに応じて心拍数を記憶することができる。
【００３１】
さらに、電子構成要素を他の要素内に一体化することができ、または電子構成要素自体
が１つの構造として要素を形成することができる。例として、本発明の態様と有利に組み
合わせることができる電子構成要素の構造の実施形態は、たとえばＵＳ  ２０１０／００
６３７７８  Ａ１に記載されている。電子構成要素のさらなる例には、光センサ、電極（
導電材料）を有するセンサ、近距離通信タグまたはチップ、圧力センサ、周辺区間に位置
するフレキシブルディスプレイ、制御パネル、ＬＥＤユニット、外部から誘導的に充電で
きる電池などがある。
【００３２】
好ましい実施形態では、構成要素を受け取るための凹部は、要素のうち、すべての側面
がミッドソールによって取り囲まれているわけではない領域内に配置される。これにより
、電子構成要素を受け取るための凹部にアクセスすることを可能にする。したがって、構
成要素は、たとえば、さらなる機能性を提供する別の構成要素に置き換えるために、また
は構成要素の電源を変更するために、交換することができる。
【００３３】
本発明のさらなる態様によれば、ソールは、ミッドソールの材料に配置されたかかと取
巻体（ヒールクリップ、かかと留め具）を含む。好ましくは、かかと取巻体は、ミッドソ
ールの発泡材料に固定される。かかと取巻体は、それぞれソール上または靴の中で足をよ
り良好に固定する働きをする。たとえば、それぞれ歩行またはランニング中の水疱の形成
を防止するには、良好な固定が必要である。
【００３４】
さらに好ましい実施形態では、かかと取巻体は、アキレス腱の領域内に凹部を有する。
この凹部は、足が運ばれて地面から離れるときにかかと取巻体、特にかかと取巻体の上縁
部がアキレス腱を圧迫するのを防止し、またはアキレス腱にこすれるのを防止する。その
ような圧迫またはこすれは、アキレス腱の痛みを伴う刺激および負傷を招きうる。したが
って、凹部は靴の履き心地よさを増大させ、負傷を回避するのに役立つ。
【００３５】
さらに好ましい実施形態では、かかと取巻体は、それぞれかかとの内側および外側を独
立して囲むように設計された内側指状部および外側指状部を備える。これにより、靴の履
き心地よさおよび動く余地をさらに増大させながら、それと同時に、靴の中で足の十分な
固定を確実にする。これは、負傷のさらなる防止につながる。
【００３６】
さらなる実施形態では、かかと取巻体は、１つの指状部のみ、たとえば外側もしくは内
側または中心に配置された指状部のみを備える。
【００３７】
さらなる実施形態では、かかと取巻体と要素は、一体部分として提供される。これによ
り、靴構造の安定性が増大し、製造が簡略化される。特に、たとえば接着剤などの材料お
よび追加の作業ステップが必要ではなくなる。
【００３８】
本発明のさらなる態様では、ソールは、ミッドソール、好ましくはミッドソールの発泡
材料に配置されたケージ要素をさらに備え、ケージ要素は、外側および／または内側で上
部を３次元に囲むように設計される。ケージ要素は、それ自体、靴の中で足を固定する働
きをする。
【００３９】
好ましい実施形態では、ケージ要素、要素、および／またはかかと取巻体は、一体部分
として提供される。これにより、靴構造の安定性が増大し、製造が簡略化される。特に、
たとえば接着剤または縫い糸などの材料および追加の作業ステップが必要ではなくなる。
【００４０】
さらなる実施形態では、要素は、発泡材料の変形を選択的に制限するように、側面で発
泡材料の一部を少なくとも部分的に囲む。これにより、発泡材料のクッション特性および
ソールの安定性にも同様に影響を与えることができる。
【００４１】
本発明のさらなる態様によれば、要素の少なくとも１つの部分領域内に、アウトソール
層が配置される。そのようなアウトソールは、摩耗からソールを保護する働きをし、地面
に対するグリップ力およびソールの滑り抵抗をさらに増大させることができる。
【００４２】
一実施形態では、それによって要素をアウトソールに接続することができ、その結果、
要素を器具内へ容易に挿入することができ、それによって製造処理がかなり簡略化される
。
【００４３】
本発明のさらなる態様によれば、要素は、互いに対して摺動できる少なくとも第１の板
状要素および第２の板状要素を備える。
【００４４】
好ましい実施形態では、第１の板状要素は、第２の板状要素に対して様々な方向に摺動
することができる。
【００４５】
さらに好ましい実施形態では、第１の板状要素と第２の板状要素はそれぞれ、湾曲した
摺動面を有する。
【００４６】
さらに、ミッドソールの材料が第２の板状要素に対する第１の板状要素の摺動運動に反
対に作用する復元力を提供する一実施形態が、特に好ましい。
【００４７】
特に、本発明の一態様によれば、ミッドソールのかかと区域内で実質上水平方向に取り
付けられた２つの板状要素を有利に使用することができ、２つの板状要素は、互いに対し
て様々な方向に動くことができ、ミッドソール材料によって提供される復元力は、その相
対的な運動に反対に作用して、ランニング時に着用者の運動器官に影響を与える水平方向
の剪断力を受け取る。これにより、そのようなソールを有する靴の着用者の関節の摩耗お
よび負傷のリスクが低減される。互いに対して動くことができ、本明細書に記載する本発
明の態様によって有利に組み合わせることができるそのような板状要素の実施形態の例は
、たとえばＤＥ  １０２  ４４  ４３３  Ｂ４およびＤＥ  １０２  ４４  ４３５  Ｂ４
に見られる。
【００４８】
好ましくは、要素は、ミッドソールの材料を通る通路を画定する少なくとも１つの環状
体を備える。
【００４９】
特に、環状体は、ミッドソールの底面からミッドソールの厚さを通ってミッドソールの
頂面まで延びる通路を画定することができる。この通路は、空の空間として残すことがで
きる。この通路はまた、通気性のある材料、好ましくは湿気が通路を通ってミッドソール
の頂面の方へ進まないようにする通気性のある材料を含むこともできる。このようにして
、ミッドソール内に通気開口を作ることができる。これにより、着用者の足を冷やしてた
とえば過度の発汗を防止するのに役立つことができる。環状体はまた、特に空の空間とし
て残した場合、通路内でミッドソール材料を節約することによって、ソールの重量を低減
させるのに役立つことができる。
【００５０】
少なくとも１つの環状体は、六角形のフランジをさらに備える」ことができる。好まし
くは、要素は、ハニカムパターンで配置された複数の環状体を含む領域（クリマ（ｃｌｉ
ｍａ））ユニットを含む。
【００５１】
環状体に六角形のフランジを提供することによって、環状体に安定性が提供され、それ
と同時に、環状体によって占有されるミッドソール空間が大きくなりすぎないようにする
。特にミッドソール内に複数の環状体が配置され、たとえばかかと領域または前足領域内
に領域ユニットを形成する場合、環状体の六角形のフランジによって、これらの環状体を
ハニカムパターンで配置することが可能になる。これにより、領域ユニットに良好な安定
性を提供することができ、それと同時に、環状体の「パッキング速度」を速くすることが
可能になり、その結果、小型の領域ユニットを得ることができる。
【００５２】
本発明のさらなる態様は、前述の実施形態のいずれか１つによるソールを有する靴、特
に運動靴に関する。ここで、ソールおよび靴の要件プロファイルに従って、上記の実施形
態の単一の態様および本発明の態様を有利に組み合わせることができる。さらに、これら
の態様がそれぞれの目的にとって重要でない場合、個々の態様を考慮しないことも可能で
ある。
【００５３】
以下の詳細な説明では、本発明によるソールの現在好ましい例および実施形態について
、以下の図を参照しながら説明する。
【図面の簡単な説明】
【００５４】
【図１】ソールに固定された補強要素を有する、従来技術から知られている実施形態を示す図である。
【図２】骨組状の補強要素と、外側指状部および内側指状部、ならびにアキレス腱の領域内の凹部を備えるかかと取巻体と、アウトソールとを有する靴のソールの実施形態を示す図である。
【図３ａ】ミッドソールによって部分的に取り囲まれた変形要素を有する靴のソールの実施形態を示す図である。
【図３ｂ】ミッドソールによって部分的に取り囲まれた変形要素を有する靴のソールの実施形態を示す図である。
【図４】外側指状部および内側指状部、ならびにアキレス腱の領域内の凹部を備えるかかと取巻体を有する靴の実施形態を示す図である。
【図５】外側指状部および内側指状部、ならびにアキレス腱の領域内の凹部を備えるかかと取巻体を有する靴のさらなる実施形態を示す図である。
【図６】上部を３次元に囲むケージ要素を有する靴の実施形態を示す図である。
【図７】ミッドソールおよび要素ならびに１つまたは複数のアウトソール層を有し、ミッドソールが要素を部分的に取り囲み、要素とケージ要素が一体部分として設計される、本発明の一実施形態による靴の横断面図である。
【図８】ミッドソールおよび要素ならびにアウトソール層を有し、ミッドソールが要素を部分的に取り囲み、要素とケージ要素が一体部分として提供され、要素が側面上で発泡材料の一部分を少なくとも部分的に囲む、本発明のさらなる実施形態による靴の横断面図である。
【図９】互いに対して摺動できる第１および第２の板状要素を備える要素を有するミッドソールの実施形態を示す図である。
【図１０】互いに対して摺動できる第１および第２の板状要素を含む要素を有し、板状要素が湾曲面を含む、ミッドソールのさらなる実施形態を示す図である。
【図１１】互いに対して摺動できる第１および第２の板状要素を含む要素を有し、ミッドソールの材料が摺動運動に対する復元力を提供するミッドソールのさらなる実施形態を示す図である。
【図１２】ミッドソールの材料を通って通路を画定する環状体を有するソールの実施形態を示す図である。
【図１３】ハニカム状に配置された複数の環状体を含む領域ユニットを有するソールの実施形態を示す図である。
【発明を実施するための形態】
【００５５】
以下の詳細な説明では、本発明の現在好ましい実施形態について、運動靴を参照して説
明する。しかし、本発明は、これらの実施形態に限定されるものではないことを強調する
。たとえば、本発明は、安全靴、カジュアルシューズ、トレッキングシューズ、ゴルフシ
ューズ、冬用シューズ、または他の靴に使用することもできる。
【００５６】
図１は、従来技術の一実施形態を示す。図１は特に、ソール１００を示し、ソールの材
料１１０上に平坦な補強要素１２０が接着されている。そのような一実施形態には、すで
に上記したように、いくつかの欠点がある。一方で、ともに接合でき、特にともに接着で
きる材料しか使用することができない。また、接合の必要性により、製造の労力、必要な
接合剤の量、したがって製造の労力が増大し、ソール１００の特性に影響を与える可能性
がさらに制限される。さらに、ソールの底面に固定、たとえば接着された補強要素１２０
には、地面に当たったときに補強要素１２０がソール１００の挙動に悪影響を与え得ると
いう欠点がある。したがって、たとえば、補強要素１２０は、でこぼこした地面上（たと
えば、石または根の上）を踏んだときに足を滑らせることにつながり、したがって着用者
の転倒を引き起こすことがある。
【００５７】
図２は、本発明の一実施形態によるソール２００を示す。ソール２００は、ミッドソー
ル２１０、変形／補強要素２２０、かかと取巻体２３０、およびアウトソール２５０を備
える。
【００５８】
ミッドソール２１０は、ランダムに配置された発泡材料の粒子を含む。一実施形態では
、ミッドソール２１０全体は、発泡材料からなる。しかし、ここでは、ミッドソール２１
０の異なる部分領域で、異なる発泡材料または様々な発泡材料の混合物を使用することが
できる。さらなる実施形態では、ミッドソール２１０の１つまたはいくつかの部分領域の
みが発泡材料からなり、ミッドソール２１０の残りは非発泡材料からなる。異なる発泡お
よび／または非発泡材料の適した組合せによって、所望のクッションおよび安定性特性を
有するミッドソール２１０を製造することができる。発泡材料の粒子は特に、発泡エチレ
ン酢酸ビニル（ｅＥＶＡ）、発泡熱可塑性ウレタン（ｅＴＰＵ）、発泡ポリプロピレン（
ｅＰＰ）、発泡ポリアミド（ｅＰＡ）、発泡ポリエーテルブロックアミド（ｅＰＥＢＡ）
、発泡ポリオキシメチレン（ｅＰＯＭ）、発泡ポリスチレン（ＰＳ）、発泡ポリエチレン
（ｅＰＥ）、発泡ポリオキシエチレン（ｅＰＯＥ）、発泡エチレンプロピレンジエンモノ
マー（ｅＥＰＤＭ）という材料の１つまたは複数を含むことができる。これらの材料はそ
れぞれ、特有の特徴的な特性を有し、ソールに対する要件のプロファイルに従って、靴の
ソールの製造に有利に使用することができる。したがって、特にｅＴＰＵは、より低いま
たはより高い温度でも変化しない優れたクッション特性を有する。さらに、ｅＴＰＵは非
常に弾性が高く、圧縮の場合、たとえば足が地面に当たったときは、蓄積されたエネルギ
ーが後の膨張中にほぼ完全に足へ戻る。これにより、運動の効率が増大する。対照的に、
ｅＰＰを用いると、重量が非常に小さくなるとともに、安定性が増大する。好ましい実施
形態では、ミッドソール２１０は、たとえば前足領域内、特につま先の下、ならびにかか
と区域内に、ｅＴＰＵの部分領域を含み、ミッドソールの残りは、ｅＰＰもしくはｅＥＶ
Ａまたは別の発泡もしくは非発泡材料からなる。前足およびかかと区域内のｅＴＰＵおよ
び残りの区間内のｅＰＰのミッドソール２１０は、ｅＴＰＵの良好なクッション特性によ
って着用者の足および関節を負傷から保護しながら、ｅＰＰを使用することでソールの重
量を低く維持する。そのような組合せは、たとえばランニングシューズのソールにとって
有利である。
【００５９】
ミッドソール２１０は、少なくとも部分的に要素２２０をさらに取り囲む。図２に示す
実施形態では、要素２２０は変形または補強要素である。好ましい実施形態では、要素２
２０は、少なくとも１方向にミッドソール２２０の発泡材料より高い変形硬度を有する。
さらなる実施形態では、要素２２０はまた、たとえばアウトソール、ならびに／または装
飾的要素、ならびに／または電子構成要素および／もしくは電子構成要素を受け取るため
の要素、あるいは任意の他の機能要素とすることができる。
【００６０】
図２に示す実施形態では、要素２２０は、ミッドソール２１０によってほぼ完全に取り
囲まれる。好ましくは、要素２２０は、ミッドソール２１０の材料の内側全体にわたって
少なくとも部分的に延びる。２つの線形領域２２５、ならびにミッドソール２１０の反対
側の対応する部分のみを、外側から部分的に見ることができる。好ましい実施形態では、
要素２２０は、たとえば接着接合によって、ミッドソール２１０と接合されていない。特
に、好ましい実施形態では、要素は、ミッドソール２１０の発泡材料との接着接合をもた
ない。特に好ましい実施形態では、要素２２０は、ミッドソール２１０の発泡材料によっ
て少なくとも部分的にさらに取り囲まれ、特に好ましくは、要素２２０は、発泡材料の内
側全体にわたって少なくとも部分的に延びる。ミッドソール２１０が要素を部分的に取り
囲むため、要素２２０を固定するための接合が必要ではなくなる。したがって、接着可能
でない材料を、ソールの製造に使用することもできる。代替実施形態では、要素２２０は
また、接合によってミッドソール２１０にさらに接続することもできる。所望する場合、
この接合を使用して、要素２２０とミッドソール２１０との間の接合の安定性を増大させ
ることができる。さらなる実施形態では、要素２２０は、わずかな部分、たとえば約２分
の１もしくは約４分の１または任意の他の部分のみが、ミッドソール２１０によって取り
囲まれる。
【００６１】
図２に示す実施形態では、要素は、ミッドソール２１０の材料を通って、好ましくは発
泡材料を通って、骨組状に延びる。ミッドソール２１０が、上記のように、発泡および／
もしくは非発泡材料または材料の混合物の異なる領域を有する場合、さらなる実施形態で
は、要素２２０は、これらの領域のすべてもしくは一部、またはさらには１つのみを通っ
て延びることができる。この場合、実施形態の例に基づいて上述したように、原則的に、
要素２２０の多数の２次元および／または３次元の実施形態ならびに配向が可能である。
好ましい実施形態では、要素２２０は、図２に示すように骨組状に設計される。これによ
り、たとえば平坦な要素と比較すると、かなりの材料の節約および軽量化を可能にしなが
ら、それでもなお、より大きい区域内でたとえばソールの硬度または安定性などの特性を
制御することが可能である。図２に示す変形／補強要素２２０を用いると、たとえば中足
領域全体の安定性および変形硬度の増大が可能になり、材料の使用量が低減し、したがっ
て要素２２０の重量が小さくなる。これにより最終的に、非常に軽量のソール、たとえば
２００ｇ未満、好ましくは１５０ｇ未満、特に好ましくは１００ｇ未満の重量を有するソ
ールの構築が可能になり、それでもなお十分な安定性が得られる。また、そのような軽量
の要素２２０を使用することで、たとえばｅＥＶＡおよび／またはｅＰＰなどの非常に軽
量な材料を、ミッドソール２１０の構築に使用することが可能になる。ｅＥＶＡおよび／
またはｅＰＰは、靴のソールに必要な安定性をもたないため、要素２２０がなければ使用
することができないはずである。
【００６２】
さらなる実施形態では、要素２２０はいくつかの部分要素を含み、これらの部分要素は
、ミッドソール２１０から少なくとも部分的に突出し、かつ／またはミッドソール２１０
内に配置される。たとえば、これらの部分要素を組み合わせて、構造を形成することがで
きる。
【００６３】
本発明の一態様によれば、要素２２０はさらに、周辺区間内で中心に配置することがで
き、ならびに、対応する領域内で要素２２０がソールの変形に影響を与える程度がより大
きいか、それともより小さいかに応じて、それぞれの領域内で対称または非対称に配置す
ることができる。
【００６４】
一実施形態によって、要素２２０がミッドソール２１０の材料、特に発泡材料、たとえ
ばミッドソール２１０内の変形棒に接合されない場合、この要素２２０は、ランニング運
動とともに動くことができる。それによって、ランニング運動はあまり妨害されず、要素
２２０の運動は、ソールの変形から少なくとも部分的に切り離される。
【００６５】
さらに好ましい実施形態では、要素２２０は、図２に示すように、複数の棒状の区間を
含む。これにより、たとえば複数の異なる形で湾曲する区間の要素と比較すると、要素２
２０の製造が簡略化される。さらなる実施形態では、要素２２０は、少なくとも部分的に
格子状に設計される。
【００６６】
骨組状および／または棒状および／または格子状要素２２０を使用することで、ソール
２００の製造処理がさらに簡略化される。したがって、第１に要素２００を金型内へ挿入
することができ、次に金型が発泡材料の粒子で充填される。要素２２０の骨組状および／
または棒状および／または格子状の設計により、十分な量の発泡材料の粒子が確実に、所
期の位置、たとえば要素２２０の下もしくは後ろにある要素２２０の周りを流れ、または
要素２２０を取り囲み、その結果、ミッドソールの製造中の障害が回避される。発泡材料
の粒子で金型を充填した後、これらの粒子は、たとえば、加熱および／または加圧および
／または蒸気処理にかけることができ、その結果、粒子は結合し、要素２２０をその位置
に固定する。それによって、例示的な実施形態では、発泡材料の粒子は、要素２２０と接
着接合で結合しない。さらなる実施形態では、発泡材料の粒子は、たとえば粉末状のＴＰ
Ｕを添加することによって、要素２２０との接合を形成する。
【００６７】
さらに好ましい実施形態では、要素２２０は中空区間を含む。これにより、一方では、
要素２２０の安定性または変形硬度がさらに増大し、たとえば要素が複数の棒状の中空区
間を含む場合、重量のさらなる低減につながる。
【００６８】
さらに、要素２２０の中空区間は、たとえば、電子構成要素または他の構成要素を受け
取る働きをすることができる。そのような電子構成要素は、たとえば、ＧＰＳ送信器／受
信器とすることができ、位置、現在のランニング速度、移動した距離、目的地までの距離
を判定し、または位置および速度に関係する任意の種類の情報を判定する働きをすること
ができる。さらに、要素は、たとえば、無線受信器および記憶要素を含むことができ、そ
の結果、たとえば、心拍数モニタによって伝送される、たとえば、現在の心拍数を連続し
て記憶することができる。構成要素はまた、複数の機能性、たとえばＧＰＳ送信器／受信
器、無線受信器、およびメモリを提供することができ、その結果、指定の経路に沿った位
置データに応じて、たとえば心拍数を記憶することができる。好ましい実施形態では、電
子構成要素を受け取るための要素２２０のそのような中空区間は、ミッドソールによって
完全には取り囲まれていない領域、たとえば領域２２５内に位置する。これにより、たと
えば、ある構成要素を、修正された機能性を有する別の構成要素に交換するために、また
は電源を交換するために、外部から電子構成要素へアクセスすることが可能になる。
【００６９】
図２に示す実施形態では、ソール２００は、かかと取巻体２３０をさらに備える。かか
と取巻体２３０は、ミッドソール２１０に配置され、かつ／またはミッドソール２１０に
よって少なくとも部分的に取り囲まれる。好ましい実施形態では、かかと取巻体は、ミッ
ドソール２１０の材料、好ましくは発泡材料と間接的に接触しており、その位置に配置さ
れ、さらに好ましい実施形態では、かかと取巻体は、ミッドソール２１０の材料によって
少なくとも部分的に取り囲まれる。ミッドソール２１０およびかかと取巻体２３０のそれ
ぞれの設計に従って、かかと取巻体は、かかと取巻体を取り囲むミッドソール２１０の材
料によってその位置に固定されるだけであり、ミッドソール２１０との接合は生じない。
所望する場合、靴の安定性を増大させるために、かかと取巻体２３０をさらに接着剤、縫
合、リベットなどで、ミッドソール２１０に取り付けることができる。図２に示す実施形
態では、要素２２０およびかかと取巻体２３０は、２つの別個の部分である。さらに好ま
しい実施形態では、要素２２０とかかと取巻体２３０は、一体部分として提供される。し
たがって、前述の機能に加えて、要素２２０は、ミッドソール２３０との接着接合を必要
とすることなく、かかと取巻体２３０を固定する働きをすることができる。これにより、
たとえば、製造で接着剤を用いないことが可能になり、接着可能でない材料を使用するこ
とが可能になる。さらなる実施形態では、かかと取巻体２３０は、追加として、または排
他的に、上述のように、たとえば接着接合など、ミッドソールの領域に接合することがで
きる。
【００７０】
図２のかかと取巻体２３０は、それぞれ互いから独立してかかとの外側および内側を囲
む外側指状部２３５および内側指状部２３８を備える。これにより、ソール２００上で足
を良好に固定することが可能になり、それと同時に、足の運動の自由を制限しない。これ
は、運動の自由が大きいこととともに足の良好な固定が重要な、たとえばランニングシュ
ーズまたはフットボールシューズにとって、重要になることがある。さらに好ましい実施
形態では、かかと取巻体２３０は、アキレス腱の領域内に凹部２３０をさらに含む。これ
により、特に着用者が地面から足を離すとき、これに続いて通常は足が伸びるため、特に
かかと取巻体２３０の上縁部がかかとの上の領域内でアキレス腱をこすったり擦りむいた
りすることが防止される。アキレス腱のそのような刺激は、何としても回避すべき痛みを
伴う負傷および炎症をもたらす可能性がある。
【００７１】
図２に示す靴のソール２００の実施形態は、アウトソール２５０をさらに備える。その
ようなアウトソール２５０は、足をさらに保護し、同じくミッドソールもさらに保護し、
さらに、地面に対する靴のグリップ力を改善する働きをする。アウトソール２５０は、こ
の目的で、様々な材料、たとえばゴムから製造することができ、多くの異なるプロファイ
ルとすることができる。したがって、アウトソールはたとえば、地面上で靴の滑りを防止
するために、複数の孔および／またはリブを含むことができる。
【００７２】
図３ａおよび図３ｂは、本発明のさらに好ましい実施形態によるソールの一部３００を
示し、この場合、ソールの一部３００は、ミッドソール３１０によって少なくとも部分的
に取り囲まれた変形要素を含む。好ましい実施形態では、図３ａおよび図３ｂに示す領域
は、ソールの中足領域内に位置する。
【００７３】
本発明によれば、ミッドソール３１０の材料は、発泡材料、たとえば上記の１つまたは
複数の発泡材料の粒子を含む。
【００７４】
図３ａおよび図３ｂから、特にミッドソール３１０の横断面３４０から分かるように、
変形要素３２０は、１つの領域内ですべての面からミッドソール３１０によって取り囲ま
れているが、変形要素３２０は、他の領域内、特に凹部３３０の領域内で外部からアクセ
ス可能である。好ましい実施形態では、変形要素３２０は、上記のように、ミッドソール
３１０の凹部３３０の領域内で中空であり、電子構成要素を受け取る働きをする。したが
って、凹部３３０により、外部から電子構成要素にアクセスすることが可能になる。さら
に好ましい実施形態では、凹部３３０は、靴の内側または側面から電子構成要素へのアク
セスが可能になるように配置される。
【００７５】
さらに、凹部３３０はまた、ソールの特性、特にミッドソール３１０の安定性および変
形硬度に影響を与える（図３ｂ参照）。図３ａおよび図３ｂに示すように、好ましい実施
形態では、変形要素３２０は、好ましくは中足領域内に位置する凹部３３０の領域内で棒
状であるが、変形要素は、前足領域またはかかと区域の方向に著しく広い横断面を有する
（横断面区域３４０参照）。これにより、一方では、かかとからつま先の方向に、すなわ
ち靴の長手方向軸の方向にソールの硬度の増大が可能になり、これは、靴の着用特性に有
利な効果を与えることができる。たとえば、これにより、でこぼこした地面上での負傷の
リスクを最小にすることができる。他方では、中足領域内の凹部３３０の領域内の変形要
素３２０の棒状の設計により、靴の長手方向軸の周りで前足領域およびかかと区域の独立
したねじり運動（図３ａ参照）、または変形要素によるこのねじり運動の制御が可能にな
る。これにより、たとえば、でこぼこした地面に足が当たる面積を増大させることができ
、したがって、履き心地よさを増大させ、着用者に対する負傷のリスクを低減させること
ができる。
【００７６】
図４は、発泡材料の粒子を含むミッドソール４１０を有する本発明のさらなる実施形態
による靴４００を示す。この靴は、外側指状部３４５および内側指状部４３８を有するか
かと取巻体をさらに備え、外側指状部３４５および内側指状部４３８は、互いから独立し
てかかとを３次元に囲み、したがって靴の中で足を固定する働きをする。
【００７７】
好ましい実施形態では、かかと取巻体は、ミッドソール４１０の発泡材料によって少な
くとも部分的に取り囲まれ、それによってミッドソール４１０に固定される。さらなる実
施形態では、かかと取巻体は、追加として、または排他的に、接着接合によってミッドソ
ール４１０に固定される。さらなる実施形態では、かかと取巻体は、たとえば接着および
／または縫合および／または別の接合によって、ミッドソール４１０に固定される。好ま
しい実施形態では、かかと取巻体はまた、ミッドソール４１０の発泡材料と接合すること
なく、ミッドソール４１０によって少なくとも部分的に取り囲まれた要素との一体部分と
して設計することができる。それによって、かかと取巻体はまた、ミッドソール４１０の
発泡材料との接合を必要とすることなく、ミッドソールに固定することができる。
【００７８】
かかと取巻体は、アキレス腱の領域内に凹部４４０をさらに備える。凹部４４０は、上
記のように、特にランニングシューズの場合、アキレス腱の負傷および／または刺激を防
止する働きをする。
【００７９】
図４に示す実施形態では、凹部４４０は、ミッドソール４１０まで到達する。これによ
り、外側指状部４３５および内側指状部４３８の可撓性がより高くなり、したがって足に
対する運動の自由を増大させる。
【００８０】
靴４００は、上部４６０をさらに含む。上部は、１つの部分からなることができ、また
は図４に示すように、様々な異なる部分および材料を含むことができる。一実施形態では
、上部４６０は、かかと取巻体の外側指状部４３５および内側指状部４３８に接着される
。さらなる実施形態では、上部４６０とかかと取巻体の指状部４３５および４３８との間
に接合は存在しないが、両方の指状部は、上部４６０のかかと区域に外部から軽い圧力を
かけることによって配置される。
【００８１】
図５は、ミッドソール５１０およびかかと取巻体５３０を有する靴５００のさらなる実
施形態を示し、かかと取巻体５３０は、外側指状部５３５と、内側指状部５３８と、アキ
レス腱の領域内の凹部５４０とを有する。靴５００は、靴上部５６０をさらに含む。原則
的に、図５に示す靴５００の実施形態に対しても、図４に示す実施形態４００の場合と同
じ考察および設計の可能性が存在する。しかし、図４に示す実施形態４００とは対照的に
、図５に示す実施形態の凹部５４０は、ミッドソール５１０まで完全には到達していない
。これにより、外側指状部５３５および内側指状部５３８の安定性が増大し、したがって
靴５００の中での足の固定が改善される。
【００８２】
図６は、本発明のさらなる態様による靴を示す。靴６００はミッドソール６１０を備え
、ミッドソール６１０は、好ましい実施形態では、発泡材料、たとえば前述の材料の１つ
または複数の粒子を含む。靴６００はアウトソール６２０をさらに備え、アウトソール６
２０は、上述のように、地面に対する靴のグリップ力を改善することができる。
【００８３】
さらに、靴６００は靴上部６４０を含み、靴上部６４０は、前述のように、単一の部分
からなることができ、または様々な異なる部分からなることができる。後者の場合、いく
つかまたはすべての部分は、接合および／もしくは縫合および／もしくはリベットでとも
に取り付けることができ、または何らかの他の方法で接合することができる。図６に示す
実施形態では、上部６４０は、ミッドソール６１０に配置された内側および外側のケージ
要素６３０によって３次元にさらに囲まれる。かかと取巻体の場合も、ケージ要素をミッ
ドソール６１０に固定するための異なる可能性がある。本明細書に記載する本発明の態様
と組み合わせることができるソールに固定された上部の特有の実施形態は、たとえば、Ｕ
Ｓ  ２００７／０２６６５９４  Ａ１に記載されている。好ましい実施形態では、ケージ
要素６３０は、要素および／またはかかと取巻体との一体部分として提供され、要素は、
ミッドソール６１０によって少なくとも部分的に取り囲まれる。これにより、ケージ要素
６３０をミッドソール６１０に固定することが可能になる。さらなる実施形態では、ケー
ジ要素６３０は、たとえば接合、たとえば接着によって、ミッドソール６１０に固定され
る。ケージ要素６３０は、靴の中およびソール上に足を固定する働きをし、特に、靴ひも
を受け取る可能性を提供することができ、靴ひもを用いることによって、足の甲を覆うよ
うにケージ要素６３０を収縮させて固定することができる。上部６４０は、一方では、足
と、たとえばかかと取巻体および／またはケージ要素６３０との間の詰め物として働くこ
とができ、好ましい実施形態では、ケージ要素６３０自体がかかと取巻体を備えることが
でき、他方では、使用中に足を汚れ、寒さ、または負傷から保護する。
【００８４】
図７は、本発明のさらなる態様による靴７００の横断面を示す。靴は、発泡材料の粒子
を含むミッドソール７１０を備える。たとえば、１つまたは複数の前述の材料の粒子が問
題になる。
【００８５】
靴は、ミッドソール７１０によって少なくとも部分的に取り囲まれた要素７２０をさら
に含む。好ましい実施形態では、要素は、ケージ要素７２５とともに一体部分として提供
され、ミッドソール７１０の発泡材料との接合をもたない。靴７００は、上述のように、
地面に対する靴７００のグリップ力を改善するために、アウトソール要素７３０に固定さ
れた１つまたは複数のアウトソール層７３５をさらに含む。アウトソール要素７３０は、
要素７２０に接合され、または一体部分として要素７２０とともに製造される。好ましい
実施形態では、要素７２０は、アウトソール要素７３０間に配置された複数の開口７６０
をさらに有する。開口７６０は、特にミッドソール７１０の通気性のある材料、特にラン
ダムに配置された発泡材料の粒子材料と連通して、靴の使用中、特にランニングなどのス
ポーツ活動中に足にとってより良好な通気を提供する。さらなる実施形態では、靴はまた
、靴７００の中で足を保護および固定する働きをする舌状部７７０または何らかの他の追
加の要素を備える。
【００８６】
図８は、本発明のさらなる態様による靴８００の横断面を示す。靴は、発泡材料の粒子
を含むミッドソール８１０を含む。たとえば、１つまたは複数の前述の材料の粒子が問題
になる。
【００８７】
靴は要素をさらに備え、この要素は、ケージ要素８２０と、ミッドソール８１０の発泡
材料の一部を側面上で少なくとも部分的に囲む部分８４０とからなる。ミッドソール８１
０の発泡材料が要素の部分８４０によって側面上で部分的に囲まれており、好ましくは要
素がミッドソール８１０の発泡材料より高い変形硬度を有するため、要素の部分８４０は
ミッドソール８１０の発泡材料が側面へ逃げるのを防止するので、ミッドソール８１０の
垂直方向（すなわち、足から地面の方向）の圧縮率は、部分８４０近傍で低減させること
ができる。たとえば、これを使用して、たとえば足の過回内に反対に作用するように、中
足の内側領域内でミッドソールを補強することができる。
【００８８】
好ましい実施形態では、要素は、一体部分として提供され、ミッドソール８１０の発泡
材料との接着接合をもたない。しかし好ましくは、要素は、ミッドソール８１０によって
部分的に取り囲まれ、それによってミッドソール８１０に固定される。靴８００は、たと
えば地面に対する靴８００のグリップ力を改善するために、発泡材料を外側から取り囲む
要素の部分８４０に固定されたアウトソール層８３０をさらに含む。さらなる実施形態で
は、靴は、上述のように、上部８５０、または靴８００の中で足を保護および固定する働
きをする何らかの他の追加の要素をさらに備える。
【００８９】
図９は、ランダムに配置された発泡材料の粒子９１０を含むミッドソール９００の一実
施形態を示す。図９に示す実施形態では、ミッドソール全体が発泡材料からなる。しかし
、これは単に本発明によるミッドソール９００の特有の例を表し、他の実施形態では、す
でに数回述べたように、ミッドソールの１つまたは複数の部分領域のみが発泡材料の粒子
９１０を含むことができることが、当業者には明らかである。ミッドソールは、互いに対
して摺動できる第１の板状要素９２０および第２の板状要素９３０を備える要素をさらに
含む。板状要素９２０および９３０がいくつかの方向に摺動運動を実行できる一実施形態
が、特に好ましい。好ましい実施形態では、２つの板状要素９２０および９３０は、ミッ
ドソール９００の材料によって、特に好ましくはミッドソール９００の発泡材料によって
、完全に取り囲まれる。しかし、さらなる実施形態では、板状要素９２０および９３０は
、ミッドソール９００の材料よって一部のみが取り囲まれる。
【００９０】
好ましくは、図９に示す２つの板状要素９２０および９３０は、互いに直接対向するよ
うに、ミッドソール９００のかかと区域内に配置される。さらなる実施形態では、２つの
板状要素９２０および９３０間には潤滑剤またはゲルが位置し、摺動運動によって引き起
こされる板状要素９２０、９３０の摩耗に反対に作用し、摺動を容易にする。たとえばそ
のような配置を用いることで、２つの板状要素９２０および９３０の摺動運動によって、
足が地面を踏んだときに着用者の運動器官に影響する水平方向の剪断力を吸収し、または
低減させることができる。これにより、特に速いランニング／歩行中に関節の摩耗および
着用者の負傷を防止する。さらなる実施形態では、本明細書および以下に記載の板状要素
はまた、たとえばランニング中に足が運ばれる運動をさらに支持するために、ソールの他
の領域内に配置することもできる。
【００９１】
図１０は、ランダムに配置された発泡材料の粒子１０１０を含むミッドソール１０００
のさらに好ましい実施形態を示す。ミッドソール１０００は、上述のように要素をさらに
備え、この要素は、互いに対して好ましくはいくつかの方向に摺動できる第１の板状要素
１０２０および第２の板状要素１０３０を備える。２つの板状要素１０２０、１０３０は
それぞれ、湾曲した摺動面をさらに有する。好ましい実施形態では、２つの摺動面の曲率
は、２つの摺動面が互いにしっかりと整合するように選択される。さらに、曲率の程度お
よび向きの適当な選択によって、たとえば地面を踏んだときに第２の板状要素１０３０に
対する第１の板状要素１０２０の摺動運動が生じることが好ましい方向に影響を与えるこ
とができる。これは、着用者に吸収または伝達される剪断力に影響を与える。
【００９２】
互いに対して摺動でき、ここで記載する実施形態と有利に組み合わせることができる、
２つの板状要素を備える要素のさらに好ましい実施形態は、ＤＥ  １０２  ４４  ４３３
Ｂ４およびＤＥ  １０２  ４４  ４３５  Ｂ４に見ることができる。
【００９３】
ここで記載する機能性は、図１１の実施形態に示すミッドソールの材料１１４０、１１
４５が、２つの板状要素１１２０および１１３０の摺動運動に反対に作用する復元力を提
供する場合、さらに有利である。好ましくは、この復元力は、２つの板状要素１１２０お
よび１１３０がミッドソール１１００の材料によって、特にミッドソール１１００の発泡
材料によって取り囲まれており、ミッドソール１１００の材料が、それぞれ第１の板状要
素１１２０または第２の板状要素１１３０の運動によって、摺動運動の方向で２つの板状
要素１１２０、１１３０に隣接している領域１１４０、１１４５内で圧縮されることによ
って可能になる。ミッドソール１１００の材料、特に発泡材料の弾性のため、この目的の
ために複雑な機構を必要とすることなく、それぞれ第１の板状要素１１２０または第２の
板状要素１１３０の摺動運動に反対に作用する復元力が得られる。
【００９４】
図１２は、本発明によるソール１２００の一実施形態を示し、ソール１２００は、ラン
ダムに配置された発泡材料の粒子１２１５を含むミッドソール１２１０を備える。ソール
１２００は要素１２２０をさらに備え、ミッドソール１２１０の材料は、要素１２２０を
少なくとも部分的に取り囲む。特に、ミッドソール１２１０の発泡材料は、要素１２２０
を少なくとも部分的に取り囲む。
【００９５】
図１２に示す要素１２２０は、底部フランジ１２２２および頂部フランジ１２２４を有
する環状体として提供される。底部フランジ１２２２および／または頂部フランジ１２２
４は、六角形とすることができる。すなわち、フランジ１２２２、１２２４の縁は、通路
１２３０の方向に環状体１２２０の頂面または底面から見ると、六角形の形状を有するこ
とができる。
【００９６】
しかし、フランジ１２２２、１２２４はまた、異なる形状を含むことができ、たとえば
、円形、楕円形、方形などにすることができる。六角形のフランジ１２２２、１２２４は
、領域ユニットを形成するように複数の環状体１２２０をハニカムパターンで配置できる
という利点を有することができる。図１３を参照されたい。
【００９７】
フランジ１２２２、１２２４により、接着剤のような接合剤を添加することなく、ミッ
ドソール１２１０の材料、特にランダムに配置された粒子１２１５を含むミッドソール１
２１０の発泡材料で環状体１２２０を簡単に取り囲むことによって、環状体１２２０をミ
ッドソール１２１０内に固定することが可能になる。たとえば、環状体１２２０は、第１
に金型内へ挿入することができ、次に粒子１２１５が金型に装填され、金型の閉鎖および
蒸気／圧力／加熱処理のようなさらなる処理ステップ後、定位置で固定された環状体１２
２０を含むミッドソール１２１０を得ることができる。
【００９８】
別法または追加として、環状体１２２０はまた、接着剤のような接合剤によって、ミッ
ドソール１２１０の材料に接続することができる。
【００９９】
フランジ１２２２、１２２４の寸法もまた、図１２に示す寸法とは異なることができる
。フランジ１２２２、１２２４は、特に、環状体の径方向に（たとえば、通路１２３０か
ら放射状に外側へ）より大きい範囲を有することができ、またはより小さい範囲を有する
ことができる。原則的に、フランジはまったくなくてもよい。
【０１００】
環状体は、ミッドソール１２１０の材料を通る通路１２３０を画定する。ここに示す例
では、通路１２３０は、ミッドソール１２１０の厚さ全体にわたって、場合によってはソ
ール１２００全体にわたって、その底面から頂面まで垂直方向に延びる。したがって、環
状体１２２０は、領域（クリマ）要素として作用することができ、空気の流入および／ま
たは流出を可能にする。環状体１２２０は、着用者の足の通気を可能にし、過度の発汗を
回避するのに役立つことができる。さらに、通路１２３０は、ここに示すように、空の空
間として単に残すことができ、または材料、たとえばソール１２００を有する靴の中への
湿気もしくは汚れの侵入を防止する通気性のある材料で充填することができる。
【０１０１】
環状体１２２０は、少なくとも１方向でミッドソール１２１０の発泡材料の変形硬度よ
り高い変形硬度を有することができる。この方向は、たとえば垂直方向、すなわち図１２
の頂部から底部の方向とすることができ、もしくは水平方向、たとえば図１２の左側から
右側の方向とすることができ、またはこれらの任意の組合せとすることができる。
【０１０２】
好ましくは、環状体１２２０の変形硬度は、ミッドソール１２１０の発泡材料の変形硬
度より少しだけ高い。たとえば、垂直方向の環状体１２２０の変形硬度とミッドソール１
２１０の発泡材料の変形硬度との比は１．０５：１とすることができ、１．１：１とする
ことができ、または１．５：１とすることができる。他の場合、水平方向の環状体１２２
０の変形硬度とミッドソール１２１０の発泡材料の変形硬度との比は１．０５：１、１．
１：１、または１．５：１などとすることができる。
【０１０３】
環状体１２２０の変形硬度が少しだけ高いことで、特に、図１３に示すように、複数の
環状体１２２０が領域ユニット、たとえばハニカムパターンで配置される場合、ソール１
２００に良好な安定性が提供されるが、それと同時に、ミッドソール１２１０の材料の運
動、たとえば延長、圧縮、および伸長をやはり可能にし、それによって足の自然な運びな
どを妨げない。
【０１０４】
しかし、環状体１２２０は、１方向で、ミッドソール１２１０の発泡材料の変形硬度よ
り著しく高い変形硬度、たとえば２倍、３倍、５倍、１０倍高い変形硬度などを有するこ
とも可能である。
【０１０５】
さらに、本明細書に論じたように、ソール１２００が１方向でミッドソール１２１０の
発泡材料より高い変形硬度を有するさらなる要素を備える場合、原則的に、環状体１２２
０は、ミッドソール１２１０の発泡材料の変形硬度以下の変形硬度を有することも可能で
ある。
【０１０６】
環状体１２２０は、たとえば、高分子材料、ＴＰＵ、ＰＡ、ＰＵ、ゴム、または他の材
料という材料の１つまたは複数を含むことができる。
【０１０７】
最後に、図１３は、本発明によるソール１３００の別の実施形態を示す。ソール１３０
０は、ランダムに配置された発泡材料の粒子を有するミッドソールを備える。ソール１３
００は、複数の環状体１３２０、１３２２、１３２４、１３２６をさらに備える。これら
の環状体１３２０、１３２２、１３２４、１３２６のいくつかまたはすべては、図１２に
関連して上記で論じた環状体１２２０とすることができる。その限りにおいて、環状体１
２２０に関して上述した説明および考察は、図１３に示すこれらの環状体、たとえば環状
体１３２０、１３２２、１３２４、１３２６にも当てはまる。
【０１０８】
環状体１３２０、１３２２、１３２４、１３２６は、ソール１３００、特にソール１３
００のミッドソールを通る通路１３３０を画定する。好ましくは、ここに示すように、環
状体１３２０、１３２２、１３２４、１３２６は六角形のフランジを備える。これにより
、図１３に二重線１３４０で示すように、複数の環状体１３２２、１３２４、１３２６を
領域ユニット内へ配置することが可能になる。そのような領域ユニット１３４０は、たと
えば、ソール１３００のかかと領域または前足領域内に配置することができ、着用者の足
の過度の発汗または加熱を防止するのに役立つことができ、それによって快適さおよび性
能を改善することができる。
【０１０９】
しかし、環状体はまた、異なる形状を含んで、領域ユニット内へ配置することもできる
。これらの環状体は、たとえば、格子状の構造によって領域ユニットに接続することがで
きる。そのような領域ユニットまたは格子状の構造はまた、上記の環状体に適した材料、
すなわち高分子材料、ＴＰＵ、ＰＡ、ＰＵ、ゴム、または他の材料の１つまたは複数を含
むことができる。
【０１１０】
領域ユニット１３４０はまた、ミッドソールを通る開放通路を画定しない要素１３７０
のような他の要素を備えることもできる。要素１３７０は、たとえば、ソール１３００を
有する靴の内側から空気を逃がすが、靴の中へ空気が流れないようにするバルブを構成す
る環状体とすることができる。
【０１１１】
ソール１３００は、領域ユニットの一部ではない単独の環状体１３２０をさらに含む。
【０１１２】
さらに、ソール１３００は複数のくぼみ１３６０を含み、くぼみ１３６０はまた、環状
体（グロメット）１３２０、１３２２、１３２４、１３２６の六角形の形状に嵌合する六
角形の形状を構成する。これらのくぼみ１３６０は、たとえば、ソール１３００の弾性に
影響を与えること、電子構成要素を受け取るための凹部を構成すること、軽量化するのに
役立つことなどができる。
【０１１３】
最後に、ソール１３００は、アウトソール１３５０を備える。アウトソール１３５０は
、ミッドソール、特に環状体１３２０、１３２２、１３２４、１３２６を汚れ、水、摩耗
などから保護するのに役立つことができる。アウトソール１３５０はまた、改善されたグ
リップ力をソール１３００に提供することができる。アウトソール１３５０はまた、ソー
ル１３００を安定させることができ、特に、環状体１３２０、１３２２、１３２４、１３
２６をソール１３００内で定位置に固定するのに役立つことができる。
【０１１４】
以下、本発明の理解を容易にするために、さらなる例について説明する。
１．靴、特に運動靴用のソールであって、
ａ．ランダムに配置された発泡材料の粒子を含むミッドソールと、
ｂ．少なくとも１方向に発泡材料より高い変形硬度を有する要素とを含み、
ｃ．ミッドソールの材料が要素を少なくとも部分的に取り囲む、ソール。
２．要素が、ミッドソールの材料の内側へ少なくとも部分的に延びる、例１に記載のソ
ール。
３．要素が、ミッドソールの発泡材料に接合されない、例１または２に記載のソール。
４．発泡材料の粒子が、発泡エチレン酢酸ビニル、発泡熱可塑性ウレタン、発泡ポリプ
ロピレン、発泡ポリアミド、発泡ポリエーテルブロックアミド、発泡ポリオキシメチレン
、発泡ポリスチレン、発泡ポリエチレン、発泡ポリオキシエチレン、発泡エチレンプロピ
レンジエンモノマーという材料の１つまたは複数を含む、例１〜３のいずれか１つに記載
のソール。
５．発泡材料が要素を少なくとも部分的に取り囲む、例１〜４のいずれか１つに記載の
ソール。
６．ソールが、要素を金型内へ挿入し、次にミッドソールの発泡材料の粒子でこの金型
を充填することによって製造される、例１〜５のいずれか１つに記載のソール。
７．金型に充填された後、ミッドソールの発泡材料の粒子が、加熱および／または加圧
および／または蒸気処理にかけられる、例６に記載のソール。
８．要素が、ミッドソールの材料全体にわたって骨組状に少なくとも部分的に延びる、
例１〜７のいずれか１つに記載のソール。
９．要素が複数の棒状の区間を含む、例１〜８のいずれか１つに記載のソール。
１０．要素が中空区間を含む、例１〜９のいずれか１つに記載のソール。
１１．要素が少なくとも部分的に格子状である、例１〜１０のいずれか１つに記載のソ
ール。
１２．要素が、電子構成要素を受け取るための凹部を含む、例１〜１１のいずれか１つ
に記載のソール。
１３．凹部が、要素のうち、すべての側面がミッドソールによって取り囲まれているわ
けではない領域内に配置される、例１２に記載のソール。
１４．ソールが、ミッドソールの材料に配置されたかかと取巻体をさらに備える、例１
〜１３のいずれか１つに記載のソール。
１５．かかと取巻体が、アキレス腱の領域内に凹部を備える、例１４に記載のソール。
１６．かかと取巻体が、それぞれかかとの内側および外側を独立して囲むように設計さ
れた内側指状部および外側指状部を備える、例１４または１５に記載のソール。
１７．かかと取巻体と要素が、一体部分として提供される、例１４〜１６のいずれか１
つに記載のソール。
１８．ソールが、ミッドソールに配置されたケージ要素をさらに備え、ケージ要素は、
外側および／または内側で上部を３次元に囲むように設計される、例１〜１７のいずれか
１つに記載のソール。
１９．ケージ要素、要素、および／またはかかと取巻体が、一体部分として提供される
、例１８に記載のソール。
２０．要素が、発泡材料の変形を選択的に制限するように、側面で発泡材料の一部を少
なくとも部分的に囲む、例１〜１９のいずれか１つに記載のソール。
２１．要素の少なくとも１つの部分領域内に、アウトソール層が配置される、例１〜２
０のいずれか１つに記載のソール。
２２．要素が、互いに対して摺動できる少なくとも第１の板状要素および第２の板状要
素を備える、例１〜２１のいずれか１つに記載のソール。
２３．第１の板状要素が、第２の板状要素に対して様々な方向に摺動することができる
、例２２に記載のソール。
２４．第１の板状要素と第２の板状要素がそれぞれ、湾曲した摺動面を有する、例２２
または２３に記載のソール。
２５．ミッドソールの材料が、第２の板状要素に対する第１の板状要素の摺動運動に反
対に作用する復元力を提供する、例２２〜２４のいずれか１つに記載のソール。
２６．要素が、ミッドソールの材料を通る通路を画定する少なくとも１つの環状体を備
える、例１〜２５のいずれか１つに記載のソール。
２７．少なくとも１つの環状体が六角形のフランジを備える、例２６に記載のソール。
２８．要素が、ハニカムパターンで配置された複数の環状体を備える領域ユニットを備
える、例２６および２７のいずれか１つに記載のソール。
２９．例１〜２８のいずれか１つに記載のソールを備える靴、特に運動靴。
【符号の説明】
【０１１５】
２００  ソール（靴底）
２１０  ミッドソール（中敷、靴底中間体）
２２０  要素
２２５  線形領域
２３０  かかと取巻体（ヒールクリップ）
２３５  外側指状部
２３８  内側指状部
２４０  凹部
２５０  アウトソール（靴底外側体）
３００  ソールの一部
３１０  ミッドソール
３２０  変形要素
３３０  凹部
３４０  横断面
４００  靴
４１０  ミッドソール
４３５  外側指状部
４３８  内側指状部
４４０  凹部
４６０  上部
５００  靴
５１０  ミッドソール
５３０  かかと取巻体
５３５  外側指状部
５３８  内側指状部
５４０  凹部
５６０  靴上部
６００  靴
６１０  ミッドソール
６２０  アウトソール
６３０  ケージ要素（かご要素）
６４０  靴上部
７００  靴
７１０  ミッドソール
７２０  要素
７２５  ケージ要素
７３０  アウトソール要素
７３５  アウトソール層
７６０  開口
７７０  舌状部
８００  靴
８１０  ミッドソール
８２０  ケージ要素
８３０  アウトソール層
８４０  部分
８５０  上部
９００  ミッドソール
９１０  粒子
９２０  第１の板状要素
９３０  第２の板状要素
１０００  ミッドソール
１０１０  粒子
１０２０  第１の板状要素
１０３０  第２の板状要素
１１００  ミッドソール
１１２０  第１の板状要素
１１３０  第２の板状要素
１１４０  材料、領域
１１４５  材料、領域
１２００  ソール
１２１０  ミッドソール
１２１５  粒子
１２２０  要素
１２２２  底部フランジ
１２２４  頂部フランジ
１２３０  通路
１３００  ソール
１３２０  環状体
１３２２  環状体
１３２４  環状体
１３２６  環状体
１３３０  通路
１３４０  領域ユニット
１３５０  アウトソール
１３６０  くぼみ
１３７０  要素
【図１】
2018023871.tif 000003
【図２】
2018023871.tif 000004
【図３ａ】
2018023871.tif 000005
【図３ｂ】
2018023871.tif 000006
【図４】
2018023871.tif 000007
【図５】
2018023871.tif 000008
【図６】
2018023871.tif 000009
【図７】
2018023871.tif 000010
【図８】
2018023871.tif 000011
【図９】
2018023871.tif 000012
【図１０】
2018023871.tif 000013
【図１１】
2018023871.tif 000014
【図１２】
2018023871.tif 000015
【図１３】
2018023871.tif 000016
【手続補正書】
【提出日】平成29年11月29日(2017.11.29)
【手続補正１】
【補正対象書類名】特許請求の範囲
【補正対象項目名】全文
【補正方法】変更
【補正の内容】
【特許請求の範囲】
【請求項１】
靴（４００、５００、６００、７００、８００）、特に運動靴用のソール（２００、１２００、１３００）であって、
ａ．ランダムに配置された発泡材料の粒子（９１０、１０１０、１２１５）を含むミッドソール（３１０）と、
ｂ．少なくとも１方向に前記発泡材料より高い変形硬度を含む要素（３２０）とを備え、
ｃ．前記ミッドソール（３１０）の前記材料が、前記要素（３２０）を少なくとも部分的に取り囲み、
ｄ．前記要素（３２０）は、棒状区間と、前記棒状区間より幅広い横断区域（３４０）とを有する、ソール（２００、１２００、１３００）。
【請求項２】
請求項１に記載のソールであって、前記棒状区間は、中足領域内に位置する、ソール。
【請求項３】
請求項１又は２に記載のソールであって、前記横断区域（３４０）は、前足領域またはかかと区域の方向に設けられる、ソール。
【請求項４】
請求項１から３のいずれか一項に記載のソールであって、前記横断区間（３４０）は、前記靴の長手方向軸の方向に前記ソールの硬度の増大を可能とする、ソール。
【請求項５】
請求項１から４のいずれか一項に記載のソールであって、前記棒状区間は、前記靴の長手方向軸の軸回りでねじり運動を可能とする、ソール。
【請求項６】
請求項１から５のいずれか一項に記載のソールであって、前記棒状区間は、ねじり棒である、ソール。
【請求項７】
請求項１から６のいずれか一項に記載のソールであって、前記ミッドソール（３１０）は、凹部（３３０）を備え、前記棒状区間は、前記凹部（３３０）内に位置する、ソール。
【請求項８】
請求項１から７のいずれか一項に記載のソールであって、前記棒状区間は、複数の棒状区間からなる、ソール。
【請求項９】
請求項１から８のいずれか一項に記載のソールであって、前記要素（３２０）が、前記ミッドソール（３１０）の前記材料の内側へ少なくとも部分的に延びる、ソール。
【請求項１０】
請求項１から９のいずれか一項に記載のソールであって、前記要素（３２０）が、前記ミッドソール（３１０）の前記発泡材料に接合されない、ソール。
【請求項１１】
請求項１から１０のいずれか一項に記載のソールを含む靴（４００、５００、６００、７００、８００）、特に運動靴。